(57)【要約】【課題】  容易かつ迅速に伝送装置間の中継接続を行うことが可能な通信回線中継器を提供する。【解決手段】  一方の伝送装置１００ＢＡのチャネル盤に着脱自在に装着される一方のプラグ２３Ａと、一方のプラグ２３Ａと接続され、他方の伝送装置１００ＢＣのチャネル盤に着脱自在に装着される他方のプラグ２３Ｂと、一方のプラグ２３Ａ側から他方のプラグ２３Ｂ側への信号のレベルと、他方のプラグ２３Ｂ側から一方のプラグ２３Ａ側への信号のレベルとを調整する減衰器３２、３３と、を備える通信回線中継器１とする。【選択図】  図４
2009111679.tif 000002
【特許請求の範囲】
【請求項１】
一方の伝送装置のチャネル盤に着脱自在に装着される第１の端子と、
前記第１の端子と接続され、他方の伝送装置のチャネル盤に着脱自在に装着される第２の端子と、
前記第１の端子側から前記第２の端子側への信号のレベルと、前記第２の端子側から前記第１の端子側への信号のレベルとを調整する減衰器と、
を備えることを特徴とする通信回線中継器。
【請求項２】
非接続モードと接続モードとを切り替えるモードスイッチを備え、
前記モードスイッチが非接続モードの場合には、前記第１の端子と前記第２の端子とが接続されず、前記第１の端子側を介して前記一方の伝送装置のチャネル盤の伝送路側と配線盤側とが接続された状態となり、前記第２の端子側を介して前記他方の伝送装置のチャネル盤の伝送路側と配線盤側とが接続された状態となり、前記モードスイッチが接続モードの場合には、前記第１の端子と前記第２の端子とが接続され、前記一方の伝送装置のチャネル盤の伝送路側と前記他方の伝送装置のチャネル盤の伝送路側とが接続された状態となるように回路設定されていることを特徴とする請求項１に記載の通信回線中継器。
【請求項３】
前記モードスイッチが非接続モードの場合に、前記伝送装置のチャネル盤の伝送路側から送信された信号を検出する受信確認手段を備えることを特徴とする請求項２に記載の通信回線中継器。
【請求項４】
前記減衰器による減衰量が可変であることを特徴とする請求項１に記載の通信回線中継器。
【発明の詳細な説明】
【技術分野】
【０００１】
この発明は、通信回線の構築において、伝送装置（端局装置）間を中継接続するための通信回線中継器に関し、特に、受信レベルの規定値と送信レベルの規定値とが異なる信号を中継接続する通信回線中継器に関する。
【背景技術】
【０００２】
例えば、図１１に示すように、Ａ局にＢ局向けの伝送装置１００ＡＢが配設され、Ｃ局にＢ局向けの伝送装置１００ＣＢが配設され、Ｂ局には、Ａ局向けの伝送装置１００ＢＡとＣ局向けの伝送装置１００ＢＣとが配設されているとする。また、それぞれの伝送装置１００（設置局によらない場合には「ＡＢ」、「ＢＡ」などの符号を省略して説明する。以下同様。）には、伝送路（回線）などを接続、収容するチャネル盤が複数配設されている。さらに、Ｂ局には、伝送装置１００ＢＡからの信号線と伝送装置１００ＢＣからの信号線とを接続する複数の端子が配設された端子盤を複数備えた配線盤２００が配設されている。
【０００３】
このような構成において、災害発生時に迂回回線を構築するなどの目的で、Ａ局からの信号とＣ局からの信号とをＢ局で中継接続するには、次のような作業を行っていた。すなわち、配線盤２００から対象とする端子盤を選択するとともに、その端子盤の端子のなかから対象とする端子を選択し、選択した端子の裏面に、伝送装置１００ＢＡからの対象信号線と伝送装置１００ＢＣからの対象信号線とを接続する。次に、ジャンパ線の被覆を剥し、ジャンパ線の一端部を伝送装置１００ＢＡからの信号線が接続された端子の表面に接続し、ジャンパ線の他端部を伝送装置１００ＢＣからの信号線が接続された端子の表面に接続する。これにより、ジャンパ線を介して伝送装置１００ＢＡからの対象信号線と伝送装置１００ＢＣからの対象信号線とが接続される。
【０００４】
さらに、次のようにして信号レベルを調整する必要がある。ここでは、Ｂ局における受信レベルが＋４ｄＢと規定され、Ｂ局における送信レベルが−８ｄＢと規定されている場合について説明する。すなわち、伝送装置１００ＢＡから該当チャネル盤を引き抜いて、該当回線（該当チャネル）の受信側に４ｄＢの減衰器を挿入（配設）し、同回線の送信側に８ｄＢの減衰器を挿入する。同様に、伝送装置１００ＢＣから該当チャネル盤を引き抜いて、該当回線の受信側に４ｄＢの減衰器を挿入し、同回線の送信側に８ｄＢの減衰器を挿入する。これにより、Ａ局からの＋４ｄＢの信号は、伝送装置１００ＢＡのチャネル盤の受信側の４ｄＢ減衰器で減衰されて０ｄＢの信号レベルとなり、配線盤２００に送られる。その後、伝送装置１００ＢＣに送られ、伝送装置１００ＢＣのチャネル盤の送信側の８ｄＢ減衰器で減衰されて、−８ｄＢの信号レベルでＣ局側に送信される。同様に、Ｃ局からの＋４ｄＢの信号は、伝送装置１００ＢＣのチャネル盤の受信側の４ｄＢ減衰器で減衰されて０ｄＢの信号レベルとなり、配線盤２００に送られる。その後、伝送装置１００ＢＡに送られ、伝送装置１００ＢＡのチャネル盤の送信側の８ｄＢ減衰器で減衰されて、−８ｄＢの信号レベルでＡ局側に送信されるものである。
【０００５】
なお、各ゾーンのゾーンボックス内のターミナルの結線状態と機能とを、容易に変更できるとともに、一見してわかるようにした統合配線システムが知られている（例えば、特許文献１参照。）。このシステムは、交換コードにより、中間配線盤における機能別に固定割付された一次側端子群の所望の端子と、各ゾーンおよびターミナルの順列に従って固定割付された二次側端子群の所望の端子とを接続するものである。
【特許文献１】特開平０６−１２１３４８号公報
【発明の開示】
【発明が解決しようとする課題】
【０００６】
ところで、上記のような中継接続作業では、配線盤２００の該当する端子盤の端子に伝送装置１００の対象信号線やジャンパ線を接続し、さらには、伝送装置１００の該当チャネル盤の該当回線に減衰器を配設しなければならない。このため、作業内容や機器構成などを熟知している必要があるとともに、多大な時間と労力とを要する。しかも、減衰器を配設する際には、チャネル盤を引き抜かなければならず、チャネル盤に複数の回線が接続されている場合には、減衰器の配設対象（中継対象）ではない運用中の回線を停止させてしまう。このため、事前に回線停止のための手続きを行わなければならず、災害発生時などの緊急の中継接続要求に対応することが困難であった。
【０００７】
そこでこの発明は、容易かつ迅速に伝送装置間の中継接続を行うことが可能な通信回線中継器を提供することを目的とする。
【課題を解決するための手段】
【０００８】
上記目的を達成するために請求項１に記載の発明は、一方の伝送装置のチャネル盤に着脱自在に装着される第１の端子と、前記第１の端子と接続され、他方の伝送装置のチャネル盤に着脱自在に装着される第２の端子と、前記第１の端子側から前記第２の端子側への信号のレベルと、前記第２の端子側から前記第１の端子側への信号のレベルとを調整する減衰器と、を備えることを特徴とする通信回線中継器である。
【０００９】
この発明によれば、第１の端子を一方の伝送装置のチャネル盤に装着し、第２の端子を他方の伝送装置のチャネル盤に装着することで、第１、第２の端子を介して一方の伝送装置のチャネル盤と他方の伝送装置のチャネル盤とが接続される。また、この接続状態で、減衰器によって、第１の端子側と第２の端子側との間、つまり一方の伝送装置のチャネル盤と他方の伝送装置のチャネル盤との間で送受信される信号のレベルが調整される。
【００１０】
請求項２に記載の発明は、請求項１に記載の通信回線中継器において、非接続モードと接続モードとを切り替えるモードスイッチを備え、前記モードスイッチが非接続モードの場合には、前記第１の端子と前記第２の端子とが接続されず、前記第１の端子側を介して前記一方の伝送装置のチャネル盤の伝送路側と配線盤側とが接続された状態となり、前記第２の端子側を介して前記他方の伝送装置のチャネル盤の伝送路側と配線盤側とが接続された状態となり、前記モードスイッチが接続モードの場合には、前記第１の端子と前記第２の端子とが接続され、前記一方の伝送装置のチャネル盤の伝送路側と前記他方の伝送装置のチャネル盤の伝送路側とが接続された状態となるように回路設定されていることを特徴とする。
【００１１】
請求項３に記載の発明は、請求項２に記載の通信回線中継器において、前記モードスイッチが非接続モードの場合に、前記伝送装置のチャネル盤の伝送路側から送信された信号を検出する受信確認手段を備えることを特徴とする。
【００１２】
請求項４に記載の発明は、請求項１に記載の通信回線中継器において、前記減衰器による減衰量が可変であることを特徴とする。
【発明の効果】
【００１３】
請求項１に記載の発明によれば、伝送装置間を中継接続するには、通信回線中継器の第１の端子を一方の伝送装置のチャネル盤に装着し、第２の端子を他方の伝送装置のチャネル盤に装着すればよい。しかも、通信回線中継器の減衰器によって信号のレベルが調整されるため、伝送装置のチャネル盤に減衰器を挿入する必要がなく、同一チャネル盤に接続されている運用中の回線を停止させることもない。この結果、容易かつ迅速に伝送装置間の中継接続を行うことが可能となる。
【００１４】
請求項２に記載の発明によれば、モードスイッチを非接続モードにすることで、第１の端子と第２の端子とが接続されず、伝送装置のチャネル盤の伝送路側と配線盤側とが接続された状態となる。このため、チャネル盤の運用中の（中継対象ではない）回線に誤って第１、第２の端子を接続したとしても、運用中の回線が停止することがない。つまり、誤接続による通信遮断を防止することができる。
【００１５】
請求項３に記載の発明によれば、非接続モードにおいて、伝送装置のチャネル盤の伝送路側から信号（試験信号）を送信し、受信確認手段によってその信号を検出することで、中継対象の回線を確認することができる。
【００１６】
請求項４に記載の発明によれば、減衰器による減衰量が可変であるため、規定される受信レベルや送信レベルに応じて減衰量を調整することで、１つの通信回線中継器で複数のレベル規定（条件）に対応することが可能となる。
【発明を実施するための最良の形態】
【００１７】
以下、この発明を図示の実施の形態に基づいて説明する。
【００１８】
図１は、この発明の実施の形態に係る通信回線中継器１を示す斜視図である。この通信回線中継器１は、図２に示すように、伝送装置１００間を中継接続するための接続機器であり、主として、２つのコード２と、中継器本体３とを備えている。ここで、この実施の形態では、Ａ局（Ａ電気所）にＢ局（Ｂ電気所）向けの伝送装置１００ＡＢが配設され、Ｃ局（Ｃ電気所）にＢ局向けの伝送装置１００ＣＢが配設され、Ｂ局には、Ａ局向けの伝送装置１００ＢＡとＣ局向けの伝送装置１００ＢＣとが配設されているとする。また、それぞれの伝送装置１００には、伝送路（回線）などを接続、収容するチャネル盤が複数配設されている。
【００１９】
コード２は、コード本体２１の一端部に第１のプラグ２２が取り付けられ、他端部に第２のプラグ２３が取り付けられている。第１のプラグ２２は、後述する中継器本体３のソケット３ａに着脱自在に装着され、第２のプラグ２３は後述するように伝送装置１００のチャネル盤のジャックに着脱自在に装着されるようになっている。また、後述するようにして、一方のコード２の第２のプラグ２３と他方のコード２の第２のプラグ２３とは、中継器本体３を介して接続されるようになっている。すなわち、一方のコード２の第２のプラグ２３が第１の端子となり、他方のコード２の第２のプラグ２３が第２の端子となるようになっている。ここで、一方のコード２の第２のプラグ２３を図１中左側のプラグとし、適宜「一方のプラグ２３Ａ」と称し、伝送装置１００ＢＡのチャネル盤のジャックに装着されるものとする。また、他方のコード２の第２のプラグ２３を図１中右側のプラグとし、適宜「他方のプラグ２３Ｂ」と称し、伝送装置１００ＢＣのチャネル盤のジャックに装着されるものとする。
【００２０】
また、コード２は、図３、４に示すように、伝送路側への回路４ＷＳ、４ＷＲ、ＳＳ、ＳＲと、配線盤側への回路４ＷＳ、４ＷＲ、ＳＳ、ＳＲとを備えている。さらに、図５に示すように、第２のプラグ２３は弾器プラグとなっており、伝送装置１００のチャネル盤のジャック１００Ｊは弾器ジャックとなっている。そして、ジャック１００Ｊに第２のプラグ２３を挿入することで、第２のプラグ２３が装着されるようになっている。また、コード２の両端部には、それぞれアース線２４、２５が取り付けられている。
【００２１】
中継器本体３は、２つのソケット３ａを備え、このソケット３ａに第１のプラグ２２を装着することで、コード２が中継器本体３に取り付けられ、第１のプラグ２２を抜くことでコード２が取り外せるようになっている。つまり、２つのコード２は中継器本体３に着脱自在となっている。また、中継器本体３は、図１、４に示すように、試験モード（非接続モード）と接続モードとを切り替えるモードスイッチ３１、３１ａ〜３１ｄを備え、２つのコード２を中継器本体３に取り付けた状態で、モードスイッチ３１が試験モードの場合には、一方のプラグ２３Ａと他方のプラグ２３Ｂとが接続されず、一方のプラグ２３Ａ側を介して一方の伝送装置１００ＢＡのチャネル盤の伝送路側と配線盤側とが接続された状態となり、他方のプラグ２３Ｂ側を介して他方の伝送装置１００ＢＣのチャネル盤の伝送路側と配線盤側とが接続された状態となり、モードスイッチ３１が接続モードの場合には、一方のプラグ２３Ａと他方のプラグ２３Ｂとが接続され、一方の伝送装置１００ＢＡのチャネル盤の伝送路側と他方の伝送装置１００ＢＣのチャネル盤の伝送路側とが接続された状態となるように回路設定されている。
【００２２】
具体的には、図４、６に示すように、一方のプラグ２３Ａ側と他方のプラグ２３Ｂ側とが、ほぼ対象に回路構成されており、モードスイッチ３１が試験モードの場合には、図４に示すように、第１のスイッチ３１ａを介して同一コード２の伝送路側の４ＷＳと配線盤側の４ＷＳとが接続され、第２のスイッチ３１ｂを介して同一コード２の伝送路側の４ＷＲと配線盤側の４ＷＲとが接続され、第３のスイッチ３１ｃを介して同一コード２の伝送路側のＳＳと配線盤側のＳＳとが接続され、第４のスイッチ３１ｄを介して同一コード２の伝送路側のＳＲと配線盤側のＳＲとが接続される。一方、モードスイッチ３１が接続モードの場合には、図６に示すように、第１のスイッチ３１ａと第２のスイッチ３１ｂとを介して、一方のコード２の伝送路側の４ＷＳと他方のコード２の伝送路側の４ＷＲとが相互に接続され、第３のスイッチ３１ｃと第４のスイッチ３１ｄとを介して、一方のコード２の伝送路側のＳＳと他方のコード２の伝送路側のＳＲとが相互に接続されるようになっている。
【００２３】
これにより、モードスイッチ３１が接続モードでは、一方のプラグ２３Ａと他方のプラグ２３Ｂとが中継器本体３を介して接続される。さらに、一方のプラグ２３Ａを一方の伝送装置１００ＢＡのジャックに装着し、他方のプラグ２３Ｂを他方の伝送装置１００ＢＣのジャックに装着することで、通信回線中継器１を介して、一方の伝送装置１００ＢＡのチャネル盤（対象回線）の伝送路側と、他方の伝送装置１００ＢＣのチャネル盤の伝送路側とが接続された状態となる。
【００２４】
また、中継器本体３には、一方のプラグ２３Ａ（一方の伝送装置１００ＢＡ）側から他方のプラグ２３Ｂ（他方の伝送装置１００ＢＣ）側への音声信号のレベルを調整する第２の減衰器３３と、他方のプラグ２３Ｂ側から一方のプラグ２３Ａ側への音声信号のレベルを調整する第１の減衰器３２とが配設されている。すなわち、上記のような接続モードの状態で、図６に示すように、第１の減衰器３２を介して、一方のコード２の伝送路側の４ＷＳと他方のコード２の伝送路側の４ＷＲとが接続され、第２の減衰器３３を介して、一方のコード２の伝送路側の４ＷＲと他方のコード２の伝送路側の４ＷＳとが接続されるようになっている。ここで、この実施の形態では、Ｂ局における受信レベルが＋４ｄＢで、送信レベルが−８ｄＢと規定されているとし、減衰器３２、３３の減衰量が１２ｄＢに設定され、インピーダンスが６００Ωに設定されている。
【００２５】
さらに、モードスイッチ３１が試験モードの場合に、伝送装置１００ＢＡ、ＢＣのチャネル盤の伝送路側から送信された信号を、後述するようにして検出する受信確認手段を２つ備えている。すなわち、第１の受信確認手段として４ＷＲ試験用端子３４が配設され、図４に示すように、第２のスイッチ３１ｂを介して、同一コード２の伝送路側の４ＷＲと配線盤側の４ＷＲとに接続されるようになっている。また、第２の受信確認手段としてＳＲ試験用ＬＥＤ３５が配設され、図４に示すように、第４のスイッチ３１ｄを介して、同一コード２の伝送路側のＳＲと配線盤側のＳＲとに接続されるようになっている。
【００２６】
このＳＲ試験用ＬＥＤ３５には、電池３６から電気が供給され、電池３６の開放電圧（推定容量）は、電池チェッカー３７で計測、表示されるようになっている。また、ソケット３ａの近傍にはアース端子３８が配設され、このアース端子３８にコード２のアース線２４を接続するようになっている。
【００２７】
次に、このような構成の通信回線中継器１の作用および、通信回線中継器１を用いて中継接続する手順、方法について説明する。
【００２８】
まず、２つのコード２を上記のようにして中継器本体３に取り付け、モードスイッチ３１を試験モードにする。この状態で、一方のプラグ２３Ａを一方の伝送装置１００ＢＡの対象（該当）チャネル盤の対象ジャックに装着し、他方のプラグ２３Ｂを他方の伝送装置１００ＢＣの対象チャネル盤の対象ジャックに装着する。この際、コード２のアース線２５を伝送装置１００ＢＡ、ＢＣのアース端子（図示せず）に接続する。この状態においては、上記のように、一方のプラグ２３Ａと他方のプラグ２３Ｂとが接続されず、図７に示すように、対象チャネル盤の回路４ＷＳ、４ＷＲ、ＳＳ、ＳＲは通信回線中継器１（プラグ２３Ａ、２３Ｂ側）を介して、伝送路側と配線盤側とが接続されている。つまり、現状の回路が維持された状態となっている。このため、対象チャネル盤や対象ジャックを間違え、運用中の（中継対象ではない）回線にプラグ２３Ａ、２３Ｂを装着したとしても、運用中の回線が停止することはない。つまり、誤接続による通信遮断を防止することができる。ここで、図７において、破線矢印は信号の流れを示し、煩雑化を避けるために一方の伝送装置１００ＢＡ側のみに図示している。また、Ｃ局の伝送装置１００ＣＢを図示していないが、Ａ局の伝送装置１００ＡＢと同等の状態である。後述する図８〜１０においても同様とする。
【００２９】
次に、接続が正しいか否かを確認するために、Ａ局およびＣ局から試験信号を送信し、Ｂ局の通信回線中継器１で受信されることを確認する。具体的には、次の２つの方法の少なくとも一方により行う。すなわち、第１の方法として、図８に示すように、通信回線中継器１の４ＷＲ試験用端子３４にレベルメータＭ１（例えば、６００ΩＨＩＧＨ）を接続し、伝送装置１００ＡＢ、ＣＢの対象回線の４ＷＳに信号発生器Ｍ２から試験信号（例えば、９００Ｈｚ、−８ｄＢ程度）を送信する。そして、レベルメータＭ１で受信レベルを確認する（例えば、約＋４ｄＢで受信）ことで、試験信号の受信を確認する。ここで、図８では、一方の伝送装置１００ＢＡの４ＷＲ回路を例に図示している。
【００３０】
また、第２の方法として、図９に示すように、伝送装置１００ＡＢ、ＣＢの対象回線のＳＳと伝送装置１００ＢＡ、ＢＣのＳＲに地気スイッチＭ３を配設し、地気スイッチＭ３をオンして伝送装置１００ＡＢ、ＣＢのＳＳに試験信号（地気：地面、地中を流れる迷走電流による信号）を送信する。そして、通信回線中継器１のＳＲ試験用ＬＥＤ３５が点灯するのを確認することで、試験信号の受信を確認する。ここで、災害時などにおいて商用電源が使用できない場合、つまりレベルメータＭ１が使用できない場合には、第２の方法が有効となる。また、図９では、一方の伝送装置１００ＢＡのＳＲ回路を例に図示している。
【００３１】
このようにして接続が正しいことを確認した後に、通信回線中継器１のモードスイッチ３１を接続モードにする。これにより、配線盤側の回路が切り離され、上記のようにして、通信回線中継器１を介して一方の伝送装置１００ＢＡの対象回線の伝送路側と、他方の伝送装置１００ＢＣの対象回線の伝送路側とが接続される。さらに、この接続状態では、図１０に示すように、減衰器３２、３３を介して、一方の伝送路側の４ＷＳと他方の伝送路側の４ＷＲとが相互に接続される。ここで、図１０では、一方の伝送装置１００ＢＡの４ＷＲ回路と、他方の伝送装置１００ＢＣの４ＷＳ回路を例に図示している。
【００３２】
このような接続状態では、一方のプラグ２３Ａ側（Ａ局側）からの＋４ｄＢの信号は、第２の減衰器３３によって１２ｄＢ減衰されて、−８ｄＢの信号レベルとなり、他方のプラグ２３Ｂ側（Ｃ局側）に送られる。同様に、他方のプラグ２３Ｂ側からの＋４ｄＢの信号は、第１の減衰器３２によって１２ｄＢ減衰されて、−８ｄＢの信号レベルとなり、一方のプラグ２３Ａ側に送られる。
【００３３】
以上のように、この通信回線中継器１および通信回線中継器１を用いた中継接続によれば、伝送装置１００ＢＡ、ＢＣ間を中継接続するには、通信回線中継器１の一方のプラグ２３Ａを一方の伝送装置１００ＢＡのチャネル盤に装着し、他方のプラグ２３Ｂを他方の伝送装置１００ＢＣのチャネル盤に装着すればよい。しかも、通信回線中継器１の減衰器３２、３３によって送受信の信号レベルが規定値に調整されるため、伝送装置１００ＢＡ、ＢＣのチャネル盤に減衰器を挿入する必要がなく、同一チャネル盤に接続されている運用中の回線を停止させることもない。この結果、容易かつ迅速に伝送装置１００ＢＡ、ＢＣ間の中継接続を行うことが可能となり、緊急の中継接続要求に対応することが可能となる。
【００３４】
また、上記のように、誤接続による通信遮断を防止することができ、しかも、上記の２つの方法によって接続が正しいか否かを確認することができる。さらに、２つのコード２が中継器本体３に着脱自在なため、使用しない場合にはコード２を中継器本体３から取り外すことで、保管や運搬などが容易となる。
【００３５】
以上、この発明の実施の形態について説明したが、具体的な構成は、この実施の形態に限られるものではなく、この発明の要旨を逸脱しない範囲の設計の変更等があっても、この発明に含まれる。例えば、上記の実施の形態では、減衰器３２、３３の減衰量が固定されているが、送受信の信号レベルの規定値が複数規定されているなどの場合には、減衰量を可変にすることがより好ましい。例えば、中継器本体３にディップスイッチ・切替スイッチを設け、ディップスイッチの設定に伴って減衰器の減衰量が可変するようにする。これにより、規定される受信レベル値や送信レベル値に応じて減衰量を調整することで、１つの通信回線中継器で複数のレベル規定（条件）に対応することが可能となる。
【図面の簡単な説明】
【００３６】
【図１】この発明の実施の形態に係る通信回線中継器を示す斜視図である。
【図２】図１の通信回線中継器を用いて伝送装置間を中継接続した状態を示す図である。
【図３】図１の通信回線中継器の第２のプラグの斜視図（ａ）と、（ａ）の矢印方向から見た正面図（ｂ）である。
【図４】図１の通信回線中継器の回路図を示し、モードスイッチが試験モードの場合の回路図である。
【図５】図１の通信回線中継器の第２のプラグと伝送装置のチャネル盤のジャックとの関係を示す概念図であり、（ａ）はプラグ挿入前のジャックを示す図であり、（ｂ）はプラグ挿入後のジャックを示す図である。
【図６】図１の通信回線中継器の回路図を示し、モードスイッチが接続モードの場合の回路図である。
【図７】試験モードの状態で、図１の通信回線中継器を伝送装置間に接続した状態を示す接続概念図である。
【図８】図７の状態で接続が正しいか否かを確認する第１の方法を示す接続概念図である。
【図９】図７の状態で接続が正しいか否かを確認する第２の方法を示す接続概念図である。
【図１０】接続モードの状態で、図１の通信回線中継器を伝送装置間に接続した状態を示す接続概念図である。
【図１１】伝送装置間を中継接続する従来の方法を示す図である。
【符号の説明】
【００３７】
１        通信回線中継器
２        コード
２２      第１のプラグ
２３      第２のプラグ
２３Ａ    一方のプラグ（第１の端子）
２３Ｂ    他方のプラグ（第２の端子）
３        中継器本体
３１      モードスイッチ
３２      第１の減衰器
３３      第２の減衰器
３４      ４ＷＲ試験用端子（受信確認手段）
３５      ＳＲ試験用ＬＥＤ（受信確認手段）
３６      電池
３７      電池チェッカー
１００    伝送装置
１００Ｊ  ジャック
Ｍ１      レベルメータ
Ｍ２      信号発生器
Ｍ３      地気スイッチ
【図１】
2009111679.tif 000003
【図２】
2009111679.tif 000004
【図３】
2009111679.tif 000005
【図４】
2009111679.tif 000006
【図５】
2009111679.tif 000007
【図６】
2009111679.tif 000008
【図７】
2009111679.tif 000009
【図８】
2009111679.tif 000010
【図９】
2009111679.tif 000011
【図１０】
2009111679.tif 000012
【図１１】
2009111679.tif 000013